(57)【要約】【課題】搬送路を開くことなく短時間で容易に搬送路中の残留物を自動的に除去することができるようにし、利用者を待たせる等の支障が生じることも抑制する。【解決手段】カード搬送方向の先端側の曲折部１１ａ下に向けて残留物除去カード１１をカード挿入排出口２から搬送路中３に挿入し、この残留物除去カード１１を搬送ローラ５ａ〜５ｃにより搬送路３の後端部４側に搬送することで前記搬送路３中に残留した取引カード１０を搬送路３の後端部４から押出すようにした。【選択図】図１
2008165471.tif 000002
【特許請求の範囲】
【請求項１】
搬送路と、取引カードを挟持して前記搬送路中を搬送させる搬送ローラと、搬送路の途中で前記取引カードに対して所定の処理を行う処理部を備えたカード取扱い装置において、
少なくともカード搬送方向の先端側に曲折部を形成した残留物除去カードを前記搬送路中を搬送することで前記搬送路中の残留物を前記搬送路から押出すことを特徴とするカード取扱い装置。
【請求項２】
請求項１記載のカード取扱い装置において、
前記搬送路の後端部側に残留物除去カードを収納したカード収納部を備え、
前記カード収納部から繰出した残留物除去カードを前記搬送路の後端部側から前端部側へ搬送することを特徴とするカード取扱い装置。
【請求項３】
請求項２記載のカード取扱い装置において、
前記搬送路の後端部と前記カード収納部との間に曲げ加工部設け、
曲折部を形成していない残留物除去カードを保留部に収納し、
前記カード収納部から繰出した残留物除去カードの端部を前記曲げ加工部により曲折して曲折部を形成した後、前記残留物除去カードを前記搬送路に送り込むことを特徴とするカード取扱い装置。
【請求項４】
請求項３記載のカード取扱い装置において、
前記残留物除去カードとして振込カードを前記カード収納部に収納したことを特徴とするカード取扱い装置。
【請求項５】
請求項１記載のカード取扱い装置において、
前記搬送路の後端側に非接触型ＩＣチップを検知する検知手段を設けると共に、前記残留物除去カードに非接触型ＩＣチップを設けて、
前記残留物除去カードを搬送路の前端側から搬送して、前記検知手段が非接触型ＩＣチップを検知したとき、前記残留物除去カードの搬送を停止させることを特徴とするカード取扱い装置。
【請求項６】
請求項１記載のカード取扱い装置において、
取引カードに対して所定の処理を行う処理部として磁気ヘッドを備え、
前記残留物除去カードの前記磁気ヘッドに該当する位置にカード全長に亘る保護テープを設けたことを特徴とするカード取扱い装置。
【請求項７】
請求項１または請求項６記載のカード取扱い装置において、
前記残留物除去カードの前記搬送ローラに該当する位置にカード全長に亘る清掃テープを設けたことを特徴とするカード取扱い装置。
【発明の詳細な説明】
【技術分野】
【０００１】
本発明は、取引カードに対してデータの読取りあるいは書込み等の処理を行うカード取扱い装置に関する。
【背景技術】
【０００２】
従来のこの種のカード取扱い装置として、金融機関の店舗等に設置される自動取引装置（ＡＴＭ）に組込まれて使用されるものがある。
このようなカード取扱い装置は、一般に一端をカード挿入排出口とした直線状の搬送路に沿って複数の搬送ローラを配置すると共に、搬送路の途中の位置に処理部としての磁気ヘッドを設けた構成となっており、取引開始時にカード挿入排出口から挿入されたキャッシュカード等の取引カードを搬送ローラにより磁気ヘッドの位置に搬送し、磁気ヘッドにより取引カードの磁気ストライプに記録された口座データ等を読取る等の処理を行って、取引終了時に取引カードをカード挿入排出口に逆送して排出するものとなっている（例えば、特許文献１参照）。
【特許文献１】特開２００３−２８８５４７号公報（段落「００１１」〜段落「００１３」、図１）
【発明の開示】
【発明が解決しようとする課題】
【０００３】
しかしながら、上述した従来の技術においては、搬送路中に取引カードが残留したり、紙片等の異物が挿入され、搬送ローラを逆送する方向に回転してもこれら取引カードや異物による残留物が排出できない場合、人手により搬送路を開いて取除かなければならず、時間や手間がかかるだけでなく、その間装置の運用が停止されるため、利用者を待たせる等の支障が生じるという問題がある。
【０００４】
本発明は、このような問題を解決することを課題とする。
【課題を解決するための手段】
【０００５】
そのため、本発明は、搬送路と、取引カードを挟持して前記搬送路中を搬送させる搬送ローラと、搬送路の途中で前記取引カードに対して所定の処理を行う処理部を備えたカード取扱い装置において、少なくともカード搬送方向の先端側に曲折部を形成した残留物除去カードを前記搬送路中を搬送することで前記搬送路中の残留物を前記搬送路から押出すことを特徴とする。
【発明の効果】
【０００６】
このようにした本発明は、搬送路中にカードや異物が残留した場合、残留物除去カードを搬送して残留物を押出すようにしているため、搬送路を開くことなく短時間で容易に搬送路中の残留物を自動的に除去することが可能になり、利用者を待たせる等の支障が生じることも抑制できるという効果が得られる。
【発明を実施するための最良の形態】
【０００７】
以下、図面を参照して本発明によるカード取扱い装置の実施例を説明する。
【実施例】
【０００８】
図１は第１の実施例の内部構造を示す概略側面図である。
図において１は金融機関の店舗等に設置される自動取引装置（ＡＴＭ）に組込まれたカード取扱い装置で、このカード取扱い装置１内には直線状の搬送路３が設けられている。
この搬送路３は上下一対のガイド板に挟まれた空間として形成されており、その前端部はカード取扱い装置１の正面側でカード挿入排出口２として開口し、また、搬送路３の後端部４は残留物排出口としてカード取扱い装置１の後面側で開口している。
【０００９】
尚、この残留物排出口４は自動取引装置の後部扉を開くことで操作可能となっている。
５ａ〜５ｃは搬送路３に沿って設けられた搬送手段を成す複数対の搬送ローラで、各対毎に上下に対向するように設けられており、この搬送ローラ５ａ〜５ｃはモータ６により図示しないギアやベルト等を介して駆動されるものとなっている。
７は後述する取引カードの磁気ストライプに記録された磁気データの読取り処理等を行う磁気ヘッドで、搬送路３の所定の位置、例えば搬送ローラ５ｂの近傍の位置に上下に対向するように設けられている。
【００１０】
これは取引カードに設けられる磁気ストライプが表面と裏面のいずれにあっても対応できるようにしているためで、取り扱う取引カードの磁気ストライプが表面と裏面のいずれか一方に決められている場合は、上下いずれか一方の磁気ヘッド７を省略してもよい。
８ａ〜８ｄは搬送路３中のカードや異物などの残留物を検知する検知手段としての検知センサで、各々搬送路３を挟んで上下に対向する発光素子と受光素子からなり、搬送路３全体に渡ってカードを検知できるように配置されている。
【００１１】
９は反射式の光学センサで、取引カード表面のエンボス文字等を読取る光学反射式の読取りセンサで、例えば磁気ヘッド７に隣接するように配置されている。
１０は磁気ストライプを有する取引カード、１１は残留物除去カードである。
図２は残留物除去カードを示す斜視図であり、この図に示したように第１の実施例における残留物除去カード１１は、前端側及び後端側の両端部１０ａを互いに逆方向に向けて折り曲げて曲折部１１ａを設けた構造にしてある。
【００１２】
この残留物除去カード１１の素材としては比較的腰のある紙、またはプラスチックなどが用いられ、曲折部１１ａはそれぞれ上下一対の搬送ローラ５ａ、５ｂ、５ｃ間を通過する際平らに伸ばされても復元するものとなっている。
上述した構成の作用について説明する。
図３は第１の実施例の作用を示す概略側面図である。
【００１３】
尚、以下に説明する各部の動作は、図示しない記憶部に格納されたプログラム（ソフトウェア）に基づいて図示しない制御部により制御されるものとする。
図１に示したように搬送路３中の取引カード１０が排出できず、搬送ローラ５ａ、５ｂ間で残留物として留まると、この取引カード１０が検知センサ８ｂにより検知され、図示しない報知手段により係員に報知される。
【００１４】
この報知により係員が駆けつけて残留物除去カード１１を搬送方向の先端側の曲折部１１ａが下向きになるようにカード挿入排出口２から挿入する。
挿入された残留物除去カード１１を検知センサ８ａが検知すると、制御部はモータ６を駆動して搬送ローラ５ａ〜５ｃを回転させ、残留物除去カード１１を取込んで搬送路３の後端部側に向かって搬送する。
【００１５】
この搬送において残留物除去カード１１の曲折部１１ａは先端が搬送路３の下面を擦るように進むため、図３に示したように取引カード１０は残留物除去カード１１の曲折部１１ａにより搬送路３の後端部側に押されて行き、そして最後部の検知センサ８ｄが取引カード１０の先端を検知すると、制御部は検知時点から一定量モータ６を駆動した後、モータ６の駆動を止めて搬送ローラ５ａ〜５ｃの回転を停止させる。
【００１６】
これにより取引カード１０は搬送路３の後端部の残留物排出口４から途中まで押出された状態で保持されるので、係員は自動取引装置の後部扉を開いて取引カード１０を抜取り、この抜き取りを検知センサ８ｄが検知すると、制御部は再びモータ６を駆動して搬送ローラ５ａ〜５ｃを回転させ、残留物除去カード１１を残留物排出口４から突出させて係員に抜き取らせる。
【００１７】
尚、搬送路３中に紙片等の異物が残留物として残った場合も、同様に除去可能である。
また、残留物除去カード１１は搬送路前端のカード挿入排出口２から搬送路３の後端部４に向かって搬送するものとして説明したが、逆方向にも搬送可能であるので、往復搬送して残留物の除去を行うことも可能であり、このように制御することで一方向の搬送では除去しにくい残留物をも除去することが可能になる。
【００１８】
以上説明したように、第１の実施例では、搬送路中にカードや異物が残留した場合、残留物除去カードを搬送して残留物を押出すようにしているため、搬送路を開くことなく短時間で容易に搬送路中の残留物を自動的に除去することが可能になり、利用者を待たせる等の支障が生じることも抑制できるという効果が得られる。
図４は本発明の第２の実施例の内部構造を示す概略側面図である。
【００１９】
尚、上述した第１の実施例と同様の部分は、同一の符号を付してその説明を省略するが、  本実施例において搬送路３の後端部は残留物排出口４ではなく残留物除去カード１１の出入口４として用いられる。
１２は搬送路３の出入口４側に設けられたカード収納部で、内部に上下一対の繰出し取込みローラ１３と、この繰出し取込みローラ１３を図示しないギアやベルト等を介して駆動するモータ１４を有しており、本実施例では残留物除去カード１１を搬送方向の先端側の曲折部１１ａが下向きになるようにして繰出し取込みローラ１３に挟持させた状態でカード収納部１２内にセットしてある。
【００２０】
１５はカード取扱い装置１の搬送路３の出入口４とカード収納部１２の間に設けられた搬送路、１６はこの搬送路１５に設けられた搬送ローラ、１７は図示しないギアやベルト等を介して駆動するモータである。
次に、上述した構成の作用について説明する。
図５は第２の実施例の作用を示す概略側面図である。
【００２１】
尚、以下に説明する各部の動作は、図示しない記憶部に格納されたプログラム（ソフトウェア）に基づいて図示しない制御部により制御されるものとする。
図４に示したように搬送路３中の取引カード１０が排出できず、搬送ローラ５ａ、５ｂ間で残留物として留まると、この取引カード１０が検知センサ８ｂにより検知され、その検知信号に基づいて制御部はモータ６、１４、１７をそれぞれ駆動して搬送ローラ５ａ〜５ｃ、繰出し取込みローラ１３、搬送ローラ１６を回転させる。
【００２２】
繰出し取込みローラ１３の回転により残留物除去カード１１をカード収納部１２から繰出し、搬送路１５に設けられた搬送ローラ１６により出入口４から搬送路３に送り込んで搬送ローラ５ａ〜５ｃにより搬送路３の前端側に向かって搬送する。
この搬送において残留物除去カード１１の曲折部１１ａは先端が搬送路３の下面を擦るように進むため、図５に示したように取引カード１０は残留物除去カード１１の曲折部１１ａにより搬送路３の前端部のカード挿入排出口２側に押されて行き、そして取引カード１０が最前部の検知センサ８ａが取引カード１０の先端を検知すると、制御部は検知時点から一定量モータ６を駆動した後、モータ６、１４、１７の駆動を止めて搬送ローラ５ａ〜５ｃ、繰出し取込みローラ１３、搬送ローラ１６の回転を停止させる。
【００２３】
これにより取引カード１０はカード挿入排出口２から途中まで押出された状態で保持されるので、カードの保有者である利用者に取引カード１０を抜取らせ、この抜取りを検知センサ８ａが検知すると、制御部は搬送ローラ５ａ〜５ｃ、繰出し取込みローラ１３、搬送ローラ１６が逆転するようにモータ６、１４、１７を駆動し、残留物除去カード１１をカード収納部１２に戻して繰出し取込みローラ１３に挟持させる。
【００２４】
尚、搬送路３中に紙片等の異物が残留物として残った場合も、同様に除去可能である。
また、残留物除去カード１１は搬送路前端のカード挿入排出口２から搬送路後端の出入口４に向かって搬送するものとして説明したが、逆方向にも搬送可能であるので、往復搬送して残留物の除去を行うことも可能であり、このように制御することで一方向の搬送では除去しにくい残留物をも除去することが可能になる。
【００２５】
以上説明したように、第２の実施例では、搬送路の後端側にカード収納部を設けてこのカード収納部に残留物除去カードをセットしておき、搬送路中にカードや異物が残留した場合、カード収納部から残留物除去カードを繰出して搬送路中を搬送することで、残留物除去カードにより残留物を押出すようにしているため、第１の実施例と同様の効果が得られる。
【００２６】
また、この第２の実施例では残留物を装置正面のカード挿入排出口側に押出すため、残留物が利用者の取引カードである場合、取引カードを直接利用者に返却できる利点があり、更に係員の手を煩わすこともないので、金融機関側にとってのメリットも大きいものとなる。
図６は本発明の第３の実施例の内部構造を示す概略側面図である。
【００２７】
尚、上述した第１、第２の実施例と同様の部分は、同一の符号を付してその説明を省略する。
この第３の実施例は、残留物除去カード１１の前後の端部に曲げ加工を施す曲げ加工部１８を搬送路１５に設けたもので、従ってこの第３の実施例では曲折部１１ａが形成されていない平坦な残留物除去カード１１がカード収納部１２にセットされている。
【００２８】
曲げ加工部１８は図示しない機構により搬送路１５の上下方向からから動作するものとなっている。
次に、上述した構成の作用について説明する。
図６は第３の実施例の作用を示す概略側面図である。
尚、以下に説明する各部の動作は、図示しない記憶部に格納されたプログラム（ソフトウェア）に基づいて図示しない制御部により制御されるものとする。
【００２９】
図６に示したように搬送路３中の取引カード１０が排出できず、搬送ローラ５ａ、５ｂ間で残留物として留まると、この取引カード１０が検知センサ８ｂにより検知され、その検知信号に基づいて制御部はモータ１４、１７をそれぞれ駆動して繰出し取込みローラ１３、搬送ローラ１６を回転させる。
繰出し取込みローラ１３の回転により残留物除去カード１１をカード収納部１２から繰出し、搬送路１５の搬送ローラ１６間に送り込む。
【００３０】
残留物除去カード１１が所定の位置まで送られたことを図示しないセンサが検知すると、制御部はモータ１４、１７の駆動を止めて繰出し取込みローラ１３、搬送ローラ１６の回転を停止させる。
続いて制御部は曲げ加工部１８の下側の部分を上昇させると共に、上側の部分を下降させ、これにより曲げ加工部１８で残留物除去カード１１の前後の端部を表裏方向から挟付けて曲折部１１ａを形成する。この場合の曲折部１１ａは搬送方向の前端部側が下方に向くように形成される。
【００３１】
曲折部１１ａを形成すると、制御部は曲げ加工部１８の下側の部分を下降させると共に、上側の部分を上昇させて元の位置に戻した後、モータ１７、６をそれぞれ駆動して搬送ローラ１６及び５ａ〜５ｃを回転させ、これにより残留物除去カード１１を出入口４から搬送路３に送り込んで搬送ローラ５ａ〜５ｃにより搬送路３の前端側に向かって搬送する。
【００３２】
この搬送において残留物除去カード１１の曲折部１１ａは先端が搬送路３の下面を擦るように進むため、取引カード１０は残留物除去カード１１の曲折部１１ａにより搬送路３前端のカード挿入排出口２側に押されて行き、そして取引カード１０が最前部の検知センサ８ａが取引カード１０の先端を検知すると、制御部は検知時点から一定量モータ６を駆動した後、モータ６、１４、１７の駆動を止めて搬送ローラ５ａ〜５ｃ、繰出し取込みローラ１３、搬送ローラ１６の回転を停止させる。
【００３３】
これにより取引カード１０はカード挿入排出口２から途中まで押出された状態で保持されるので、カードの保有者である利用者に取引カード１０を抜取らせ、この抜取りを検知センサ８ａが検知すると、制御部は搬送ローラ５ａ〜５ｃ、繰出し取込みローラ１３、搬送ローラ１６が逆転するようにモータ６、１４、１７を駆動し、残留物除去カード１１をカード収納部１２に戻して繰出し取込みローラ１３に挟持させる。
【００３４】
尚、搬送路３中に紙片等の異物が残留物として残った場合も、同様に除去可能である。
また、残留物除去カード１１は搬送路前端のカード挿入排出口２から搬送路３の後端部に向かって搬送するものとして説明したが、逆方向にも搬送可能であるので、往復搬送して残留物の除去を行うことも可能であり、このように制御することで一方向の搬送では除去しにくい残留物をも除去することが可能になる。
【００３５】
以上説明したように、第３の実施例では、搬送路の後端側にカード収納部を設けてこのカード収納部に平坦な残留物除去カードをセットしておき、搬送路中にカードや異物が残留した場合、カード収納部から残留物除去カードを繰出して曲げ加工部により残留物除去カードに曲折部を形成して搬送路中を搬送することで、残留物除去カードにより残留物を押出すようにしているため、第１、第２の実施例と同様の効果が得られる。
【００３６】
また、この第３の実施例でも第２の実施例と同様に残留物を装置正面のカード挿入排出口側に押出すため、残留物が利用者の取引カードである場合、取引カードを直接利用者に返却できる利点があり、更に係員の手を煩わすこともないので、金融機関側にとってのメリットも大きいものとなる。
更に、この第３の実施例では、カード収納部から残留物除去カードを繰出して曲げ加工部により残留物除去カードに曲折部を形成するようにしているため、残留物除去カードの取扱い性も向上する。
【００３７】
図８は本発明の第４の実施例の内部構造を示す概略側面図である。
この第４の実施例は、専用の残留物除去カード１１に代えて金融機関で一般に使用される振込カードを残留物除去カードとして使用するもので、カード収納部１２には複数枚の振込カード１９が積層した状態でセットしてある。
このカード収納部１２には繰出し取込みローラ１３に代えて振込カード１９の下面に当接する繰出しローラ２０が設けられ、この繰出しローラ２０は図示しないギアやベルト等を介してモータ１４により駆動されるものとなっている。
【００３８】
尚、この他の部分は第３の実施例と同様であるので、同一の符号を付してその説明を省略する。
次に、上述した構成の作用について説明する。
図９は第４の実施例の作用を示す概略側面図である。
尚、以下に説明する各部の動作は、図示しない記憶部に格納されたプログラム（ソフトウェア）に基づいて図示しない制御部により制御されるものとする。
【００３９】
図８に示したように搬送路３中の取引カード１０が排出できず、搬送ローラ５ａ、５ｂ間で残留物として留まると、この取引カード１０が検知センサ８ｂにより検知され、その検知信号に基づいて制御部はモータ１４、１７をそれぞれ駆動して繰出しローラ２０、搬送ローラ１６を回転させる。
繰出しローラ２０の回転により振込カード１９をカード収納部１２から繰出し、搬送路１５の搬送ローラ１６間に送り込む。
【００４０】
振込カード１９が所定の位置まで送られたことを図示しないセンサが検知すると、制御部はモータ１４、１７の駆動を止めて繰出しローラ２０、搬送ローラ１６の回転を停止させる。
続いて制御部は図９に示したように曲げ加工部１８の下側の部分を上昇させると共に、上側の部分を下降させ、これにより曲げ加工部１８で振込カード１９の前後の端部を表裏方向から挟付けて曲折部１９ａを形成する。この場合の曲折部１９ａは搬送方向の前端側が下方に向くように形成される。
【００４１】
曲折部１９ａを形成すると、制御部は曲げ加工部１８の下側の部分を下降させると共に、上側の部分を上昇させて元の位置に戻した後、モータ１７、６をそれぞれ駆動して搬送ローラ１６及び５ａ〜５ｃを回転させ、これにより振込みカード１９を搬送路３の後端部から搬送路３に送り込んで搬送ローラ５ａ〜５ｃにより搬送路３前端部のカード挿入排出口２側に向かって搬送する。
【００４２】
この搬送において振込カード１９の曲折部１９ａは先端が搬送路３の下面を擦るように進むため、取引カード１０は振込カード１９の曲折部１９ａにより搬送路３前端のカード挿入排出口２側に押されて行き、そして取引カード１０が最前部の検知センサ８ａが取引カード１０の先端を検知すると、制御部は検知時点から一定量モータ６を駆動した後、モータ６、１７の駆動を止めて搬送ローラ５ａ〜５ｃ、１６の回転を停止させる。
【００４３】
これにより取引カード１０はカード挿入排出口２から途中まで押出された状態で保持されるので、カードの保有者である利用者に取引カード１０を抜取らせる。
搬送路３中の振込カード１９は、利用者が取引カード１０を抜き取った後、カード挿入排出口２から突出するまで再度搬送して利用客に抜き取らせ、廃棄させるようにしてもよいが、悪用を防止する観点から、取引カード１０の排除に先立って係員に残留物除去の報知を行い、係員に予め装置の傍に待機させて利用者が取引カード１０を抜き取った後、カード挿入排出口２から係員に排出することが望ましい。
【００４４】
尚、搬送路３中に紙片等の異物が残留物として残った場合も、同様に除去可能である。
また、残留物除去カードとして利用する振込カード１９は搬送路３の後端部から前端部のカード挿入排出口２に向かって搬送するものとして説明したが、逆方向にも搬送可能であるので、往復搬送して残留物の除去を行うことも可能であり、このように制御することで一方向の搬送では除去しにくい残留物をも除去することが可能になる。
【００４５】
以上説明した第４の実施例でも第３の実施例と同様の効果が得られ、しかもこの第４の実施例では、金融機関で一般に使用される振込カードを残留物除去カードとして使用するので、専用の残留物除去カードを用意する必要がないという利点がある。
図１０は本発明の第５の実施例の内部構造を示す概略側面図、図１１は第５の実施例における残留物除去カードを示す斜視図である。
【００４６】
この第５の実施例は、図１０に示したように搬送路３の後端側に第２、第３の実施例と同様の搬送路１５を配置して、この搬送路１５に非接触型のＩＣチップを検知する検知手段としてアンテナ２１を設け、残留物除去カード１１に非接触型のＩＣチップ２２を埋め込んだもので、搬送路１５には搬送ローラ１６、モータ１７を備えることも第２、第３の実施例と同様である。
【００４７】
尚、この他の部分は第１の実施例と同様であるので、同一の符号を付してその説明を省略する。
上述した構成の作用について説明する。
図１２は第５の実施例の作用を示す概略側面図である。
尚、以下に説明する各部の動作は、図示しない記憶部に格納されたプログラム（ソフトウェア）に基づいて図示しない制御部により制御されるものとする。
【００４８】
図１０に示したように搬送路３中の取引カード１０が排出できず、搬送ローラ５ａ、５ｂ間で残留物として留まると、この取引カード１０が検知センサ８ｂにより検知され、図示しない報知手段により係員に報知される。
この報知により係員が駆けつけて残留物除去カード１１をその曲折部１１ａの先端が下向きになるようにカード挿入排出口２から挿入する。
【００４９】
挿入された残留物除去カード１１を検知センサ８ａが検知すると、制御部はモータ６を駆動して搬送ローラ５ａ〜５ｃを回転させ、残留物除去カード１１を取込んで搬送路３の後端部側に向かって搬送する。
この搬送において残留物除去カード１１の曲折部１１ａは先端が搬送路３の下面を擦るように進むため、取引カード１０は残留物除去カード１１の曲折部１１ａにより搬送路３の後端部側に押されて行き、この後端部から排出されて搬送路１５に送り込まれる。
【００５０】
そして、アンテナ２１が残留物除去カード１１に設けられた非接触型のＩＣチップ２２を検知すると、制御部はモータ６、１７の駆動を止めて搬送ローラ５ａ〜５ｃ、１６による残留物除去カード１１の搬送を停止させる。
これにより取引カード１０は搬送路１５後端から途中まで押出された状態で保持されるので、係員は自動取引装置の後部扉を開いて取引カード１０を抜取る。その後、制御部は再びモータ１７を駆動して搬送ローラ１６を回転させ、残留物除去カード１１を搬送路１５の後端から突出させて係員に抜き取らせる。
【００５１】
尚、搬送路３中に紙片等の異物が残留物として残った場合も、同様に除去可能である。
また、残留物除去カード１１は搬送路前端のカード挿入排出口２から搬送路後端の残留物排出口４に向かって搬送するものとして説明したが、逆方向にも搬送可能であるので、往復搬送して残留物の除去を行うことも可能であり、このように制御することで一方向の搬送では除去しにくい残留物をも除去することが可能になる。
【００５２】
以上説明した第５の実施例によれば第１の実施例と同様の効果が得られ、しかもこの第６の実施例では、残留物除去カード１１の停止の制御を確実に行うことができるという利点がある。
図１３は残留物除去カード１１の別の例を示す斜視図、図１４はその平面図である。
この残留物除去カード１１は表裏両面に保護テープ２３と清掃テープ２４をそれぞれ貼付したもので、保護テープ２３は磁気ヘッド７に該当する位置に、また清掃テープ２４は搬送ローラ５ａ〜５ｃに該当する位置にそれぞれカードの全長に亘るように設けてある。
【００５３】
このようにした残留物除去カード１１は上述した各実施例に用いることで搬送路３中の残留物を除去する際、保護テープ２３の部分が磁気ヘッド７間を通過するため、磁気ヘッド７を傷つけることなく残留物の除去を行うことが可能であり、また清掃テープ２４の部分が各対の搬送ローラ５ａ〜５ｃにより挟持されて搬送されるので、搬送ローラ５ａ〜５ｃ表面の汚れや塵埃を取り除いて清掃することが可能となる。
【００５４】
尚、保護テープ２３と清掃テープ２４は必ずしも両方設ける必要はなく、保護テープ２３と清掃テープ２４の一方を設けるだけにしてもよい。
【図面の簡単な説明】
【００５５】
【図１】第１の実施例を示す概略側面図
【図２】残留物除去カードを示す斜視図
【図３】第１の実施例の作用を示す概略側面図
【図４】第２の実施例を示す概略側面図
【図５】第２の実施例の作用を示す概略側面図
【図６】第３の実施例を示す概略側面図
【図７】第３の実施例の作用を示す概略側面図
【図８】第４の実施例を示す概略側面図
【図９】第４の実施例の作用を示す概略側面図
【図１０】第５の実施例を示す概略側面図
【図１１】第５の実施例で用いる残留物除去カードを示す斜視図
【図１２】第５の実施例の作用を示す概略側面図
【図１３】残留物除去カードの別の例を示す斜視図
【図１４】残留物除去カードの別の例を示す平面図
【符号の説明】
【００５６】
１    カード取扱い装置
２    カード挿入排出口
３    搬送路
５ａ〜５ｃ  搬送ローラ
６    モータ
７    磁気ヘッド
８ａ〜８ｄ  検知センサ
１０  取引カード
１１  残留物除去カード
１１ａ  曲折部
１２  カード収納部
１３  繰出し取込みローラ
１４  モータ
１５  搬送路
１６  搬送ローラ
１７  モータ
１８  曲げ加工部
１９  振込カード
２０  繰出しローラ
２１  アンテナ
２２  ＩＣチップ
２３  保護テープ
２４  清掃テープ
【図１】
2008165471.tif 000003
【図２】
2008165471.tif 000004
【図３】
2008165471.tif 000005
【図４】
2008165471.tif 000006
【図５】
2008165471.tif 000007
【図６】
2008165471.tif 000008
【図７】
2008165471.tif 000009
【図８】
2008165471.tif 000010
【図９】
2008165471.tif 000011
【図１０】
2008165471.tif 000012
【図１１】
2008165471.tif 000013
【図１２】
2008165471.tif 000014
【図１３】
2008165471.tif 000015
【図１４】
2008165471.tif 000016